(57)【要約】【課題】環状の表示装置において、操作スイッチの操作性を大幅に向上させること。【解決手段】環状の時計における操作スイッチの構造として、環状部材であるケース１とベゼル３とを相対回転させ、ボタンスイッチ１３とスイッチ切換手段としての凹部３３との相対位置が変わることによって、ボタンスイッチ１３の切換操作を可能に構成した。これにより、装着された際の時計の姿勢に関わらず、また、装着中に時計が腕の周りを回転しても、常に、ケース１とベゼル３とを相対回転させる同じ取扱い方法でボタンスイッチ１３の切換操作を行うことができる。すなわち、ボタンスイッチ１３の位置には関係なく、スイッチの切換え操作を行うことができ、ボタンスイッチ１３の位置を確認したり、ボタンスイッチ１３が見える位置まで表示装置を回転させることなどを不要にできる。これにより、操作性を大幅に向上させることができる。【選択図】図２
2008083009.tif 000002
【特許請求の範囲】
【請求項１】
外周部に表示部を有する環状の表示装置であって、
互いに相対回転可能に連結される複数の環状部材を備え、
前記表示部は、前記環状部材の少なくとも１つに設けられ、
前記環状部材の少なくとも１つは、隣合う前記環状部材との間であって周方向の少なくとも一箇所に、当該表示装置の動作を操作可能なスイッチを有し、
前記スイッチを有する環状部材に隣合う前記環状部材は、前記スイッチを有する環状部材に対して回転されることにより前記スイッチを切り替えるスイッチ切換手段を有する
ことを特徴とする表示装置。
【請求項２】
請求項１に記載の表示装置において、
前記各環状部材は、平面視円形状の嵌合部をそれぞれ有しこれら嵌合部の嵌め合いで互いに連結される
ことを特徴とする表示装置。
【請求項３】
請求項１または２に記載の表示装置において、
前記スイッチ切換手段は、前記環状部材に形成された凹部を有して構成され、
前記スイッチは、当該スイッチを有する前記環状部材に設けられ、かつ前記スイッチ切換手段を有する前記環状部材の側に付勢される軸部を有し、前記軸部の端部が前記凹部に挿入された際と、前記凹部以外の部分によって前記軸部が前記付勢された方向とは反対方向に加圧された際とに、入切される
ことを特徴とする表示装置。
【請求項４】
請求項１または２に記載の表示装置において、
前記スイッチおよび前記スイッチ切換手段の一方は、発光素子および受光素子の一方を有するとともに、前記スイッチおよび前記スイッチ切換手段の他方は、発光素子および受光素子の他方を有し、
前記スイッチは、発光素子からの光束を受光素子で受光した際と受光しない際とに、入切される
ことを特徴とする表示装置。
【請求項５】
請求項１から４のいずれかに記載の表示装置において、
前記スイッチを有する前記環状部材と前記スイッチ切換部を有する前記環状部材との一方には、その周方向に沿って円弧状の溝が刻設され、
前記スイッチを有する前記環状部材と前記スイッチ切換部を有する前記環状部材との他方には、前記溝に挿入され、かつ前記環状部材が所定方向に回転されて前記スイッチが切替られる位置で前記溝の端部に係止される突起が形成されている
ことを特徴とする表示装置。
【請求項６】
請求項５に記載の表示装置において、
隣合う前記環状部材の間に設けられた２つの前記スイッチは、１つの前記スイッチ切換手段によって切り替えられ、
前記スイッチの一方は、前記環状部材が所定方向に回転されて前記溝の一端部に前記突起が係止される際に前記スイッチ切換手段によって切り替えられ、
前記スイッチの他方は、前記環状部材が所定方向と反対方向に回転されて前記溝の他端部に前記突起が係止される際に前記スイッチ切換手段によって切り替えられる
ことを特徴とする表示装置。
【請求項７】
請求項１から６のいずれかに記載の表示装置において、
前記環状部材の少なくともいずれかは、略筒状の本体と、前記本体の外周部に設けられるカバーガラスと、を有して前記表示部のケースとして構成され、
前記本体は、前記スイッチが配設されるスイッチ配設部を有し、
前記スイッチは、前記スイッチ配設部との間に防水手段を有し、前記ケース内は水密とされている
ことを特徴とする表示装置。
【請求項８】
請求項１から７のいずれかに記載の表示装置において、
前記環状部材の少なくともいずれかは、略筒状の本体と、前記本体の外周部に設けられるカバーガラスと、を有して前記表示部のケースとして構成され、
前記本体は、前記表示部が外周側に配設される筒状の胴と、この胴の周方向に沿った両端部にそれぞれ一体または別体で設けられるフランジとを有し、
前記フランジの少なくとも一方は、前記嵌合部および前記スイッチ配設部をそれぞれ有する
ことを特徴とする表示装置。
【請求項９】
請求項１から８のいずれかに記載の表示装置において、
前記各環状部材には、前記表示部がそれぞれ設けられる
ことを特徴とする表示装置。
【請求項１０】
請求項１から９のいずれかに記載の表示装置において、
前記表示体は、電気泳動表示ディスプレイとされている
ことを特徴とする表示装置。
【請求項１１】
請求項１から１０のいずれかに記載の表示装置において、
計時部を備える時計とされ、
前記表示部には、前記計時部による計時情報が表示される
ことを特徴とする表示装置。
【発明の詳細な説明】
【技術分野】
【０００１】
本発明は、環状の表示装置における操作スイッチの構造に関する。
【背景技術】
【０００２】
従来、腕にバンドなどで固定される携帯型表示装置における操作スイッチは、表示部の周りに押しボタンなどとして設けられている（特許文献１）。これと略同様に、腕時計における操作スイッチについても、表示部近傍の外装ケース側面などに接触式のタッチボタンとして設けられることが一般的である。
ここで、可撓性を有する電気泳動表示パネルなどを外周部に沿って設けた環状（リング状）の表示装置が開発されている（特許文献２）。このようなリング状の表示装置は、ブレスレットのようにリング内側に腕を通して装着する。
【０００３】
【特許文献１】実開昭５６−１６３４８４号公報
【特許文献２】特開２００５−２５０４４２号公報
【発明の開示】
【発明が解決しようとする課題】
【０００４】
上述のようなリング形状の表示装置では、例えば、リング状ケースの周方向に沿った側面等に操作ボタンを設けることが考えられるが、このようなリング形状の表示装置は、正面、背面などの区別がない場合もあり、装着される位置が一定でなく、また、腕に固定されていないので、腕の周りを回転しやすい。
このため、操作ボタン等の位置が定まらず、操作性に難点があった。例えば、操作ボタン等が設けられた部分が腕の裏側などに回ると、手探りでボタンの位置を確認することになり、面倒である。なお、操作ボタンは一つに限らず、時刻修正や画面表示切換え用などに複数のボタンが設けられる場合もあり、このような場合、手探りでの確認もままならない。
つまり、操作ボタンを確実に操作するためには、操作ボタンが見える位置に表示装置を回してから、改めてボタン操作する必要があった。
【０００５】
本発明の目的は、環状の表示装置において、操作スイッチの操作性を大幅に向上させることにある。
【課題を解決するための手段】
【０００６】
本発明の表示装置は、外周部に表示部を有する環状の表示装置であって、互いに相対回転可能に連結される複数の環状部材を備え、前記表示部は、前記環状部材の少なくとも１つに設けられ、前記環状部材の少なくとも１つは、隣合う前記環状部材との間であって周方向の少なくとも一箇所に、当該表示装置の動作を操作可能なスイッチを有し、前記スイッチを有する環状部材に隣合う前記環状部材は、前記スイッチを有する環状部材に対して回転されることにより前記スイッチを切り替えるスイッチ切換手段を有することを特徴とする。
【０００７】
この発明によれば、環状部材同士を相対回転させ、その環状部材と環状部材との間に設けられたスイッチおよびスイッチ切換手段の相対位置が変わることによって、スイッチの位置とは無関係に、スイッチの切換操作が可能となる。すなわち、環状の表示装置は、装着中に腕などの周りを回転しやすく、スイッチの位置が定まらないが、常に、環状部材同士を相対回転させる同じ取扱い方法でスイッチの切換操作を行うことができ、スイッチの位置を確認したり、スイッチが見える位置まで表示装置を回転させることなどを不要にできる。これにより、環状の表示装置における操作スイッチの操作性を大幅に向上させることができる。
【０００８】
加えて、スイッチは環状部材同士の間に設けられ、外部に露出しない構成とできるので、スイッチが誤って押されるなどの誤操作を防止できる。
また、本発明では、複数の環状部材を互いに回転させることでスイッチを切り替えるという環状の表示装置に最適なスイッチ構造を実現でき、ケース外部に露出する操作用ボタン類を無くすことができるので、外観も向上させることができる。
【０００９】
なお、複数の環状部材の少なくとも１つに表示部が設けられていればよく、他の環状部材には、表示部が設けられていなくてもよい。この場合、他の環状部材は、例えば、ベゼル（飾り縁）などであってもよい。このような場合、例えばこのベゼルに質感の高い材質を用いたり、研磨したり、模様を入れたりすることが可能となるので、表示装置の外観を向上させることができる。
また、表示部としては、後述する電気泳動表示ディスプレイのほか、有機ＥＬ（electro-luminescence）ディスプレイ、液晶パネル（ＬＣＤ；Liquid Crystal Display）等を適宜採用できる。
【００１０】
本発明の表示装置では、前記各環状部材は、平面視円形状の嵌合部をそれぞれ有しこれら嵌合部の嵌め合いで互いに連結されることが好ましい。
【００１１】
この発明によれば、嵌め合いによって、各環状部材が相対回転可能な構成を容易に実現できる。なお、嵌合部と嵌合部との間には、パッキンなどを介装することも可能であり、環状部材を相対回転させる際のトルクは適宜調整できる。
また、嵌合部によって互いに回転可能とされるので、嵌合部以外の部分は平面視円形状に形成しなくてもよく、自由な形状を採用できる。
【００１２】
本発明の表示装置では、前記スイッチ切換手段は、前記環状部材に形成された凹部を有して構成され、前記スイッチは、当該スイッチを有する前記環状部材に設けられ、かつ前記スイッチ切換手段を有する前記環状部材の側に付勢される軸部を有し、前記軸部の端部が前記凹部に挿入された際と、前記凹部以外の部分によって前記軸部が前記付勢された方向とは反対方向に加圧された際とに、入切されることが好ましい。
【００１３】
この発明によれば、環状部材に軸部を有するボタンスイッチを設け、スイッチ切換手段として軸部が挿入される凹部を形成する簡易な接触式スイッチ構造により、環状部材同士の相対回転による回転スイッチ構造を実現できる。
なお、軸部の付勢手段としては、ゴムやばねなどを適宜使用できる。
【００１４】
本発明の表示装置では、前記スイッチおよび前記スイッチ切換手段の一方は、発光素子および受光素子の一方を有するとともに、前記スイッチおよび前記スイッチ切換手段の他方は、発光素子および受光素子の他方を有し、前記スイッチは、発光素子からの光束を受光素子で受光した際と受光しない際とに、入切されることが好ましい。
【００１５】
この発明によれば、発光素子および受光素子による光センサを用いることによって、非接触式スイッチ構造を容易に実現できる。このような非接触式では、環状部材の一方から他方へのスイッチ可動部が無いため、スイッチの防水構造を簡易にできる。
【００１６】
本発明の表示装置では、前記スイッチを有する前記環状部材と前記スイッチ切換部を有する前記環状部材との一方には、その周方向に沿って円弧状の溝が刻設され、前記スイッチを有する前記環状部材と前記スイッチ切換部を有する前記環状部材との他方には、前記溝に挿入され、かつ前記環状部材が所定方向に回転されて前記スイッチが切替られる位置で前記溝の端部に係止される突起が形成されていることが好ましい。
【００１７】
この発明によれば、突起が溝の端部に係止されるので、スイッチが切り替わる位置に環状部材の回転角度が決まり、スイッチの切換を確実に行うことができる。溝の長さは、操作性を考慮して、例えば９０°、１８０°など適宜決められ、この溝の範囲で、例えば環状部材同士が所定方向に回転した際にスイッチオン、これと反対方向に回転した際にスイッチオフ、のようにスイッチを入切することができる。
【００１８】
本発明の表示装置では、隣合う前記環状部材の間に設けられた２つの前記スイッチは、１つの前記スイッチ切換手段によって切り替えられ、前記スイッチの一方は、前記環状部材が所定方向に回転されて前記溝の一端部に前記突起が係止される際に前記スイッチ切換手段によって切り替えられ、前記スイッチの他方は、前記環状部材が所定方向と反対方向に回転されて前記溝の他端部に前記突起が係止される際に前記スイッチ切換手段によって切り替えられることが好ましい。
【００１９】
この発明によれば、２つのスイッチ間でスイッチ切換手段を兼用でき、スイッチ切換手段の構成を簡略にできる。具体的には、前述した接触式スイッチの場合、２つのボタンスイッチについて凹部を１つだけ形成すればよく、環状部材を回転させた際の凹部の移動によってこれらの各スイッチを切換え可能となる。ここで、これらのスイッチは、例えば一方のスイッチがオンのときに他方のスイッチがオフで、環状部材を回転させると、一方のスイッチがオフで他方のスイッチがオンとなるように、つまりオンオフ２つの状態をスイッチ間で交互に切り替えるように構成できる。
【００２０】
本発明の表示装置では、前記環状部材の少なくともいずれかは、略筒状の本体と、前記本体の外周部に設けられるカバーガラスと、を有して前記表示部のケースとして構成され、前記本体は、前記スイッチが配設されるスイッチ配設部を有し、前記スイッチは、前記スイッチ配設部との間に防水手段を有し、前記ケース内は水密とされていることが好ましい。
【００２１】
この発明によれば、環状部材同士が嵌め合いなどで回転可能に構成されていても、スイッチおよびスイッチ配設部から表示部やその駆動制御部などへの浸水が防止されるので、表示装置の信頼性を確保できる。
【００２２】
本発明の表示装置では、前記環状部材の少なくともいずれかは、略筒状の本体と、前記本体の外周部に設けられるカバーガラスと、を有して前記表示部のケースとして構成され、前記本体は、前記表示部が外周側に配設される筒状の胴と、この胴の周方向に沿った両端部にそれぞれ一体または別体で設けられるフランジとを有し、前記フランジの少なくとも一方は、前記嵌合部および前記スイッチ配設部をそれぞれ有することが好ましい。
【００２３】
この発明によれば、嵌合部およびスイッチ配設部がフランジに設けられるので、環状のケースの外周部略全体を表示部の表示領域として広い表示画面を実現できる。
なお、フランジは、胴と一体形成されていても、裏蓋のように胴と別体とされていてもよい。
【００２４】
本発明の表示装置では、前記各環状部材には、前記表示部がそれぞれ設けられることが好ましい。
【００２５】
この発明によれば、スイッチ切換操作と情報表示とに環状部材を兼用できる。そして、各環状部材の表示部を合わせてより広い画像表示領域を実現できる。また、各表示部における画像の表示および非表示を順次切り替えたり、各表示部における表示を組み合わせて１つの画像を表示するなど、２つ、３つ以上連結された環状部材の数に応じた様々な画像表現が可能となる。
【００２６】
本発明の表示装置では、前記表示体は、電気泳動表示ディスプレイとされていることが好ましい。
【００２７】
この発明によれば、電気泳動表示ディスプレイはフレキシブル基板の使用により可撓性を持たせることが容易であるため、ケースの曲面に沿って設ける表示体として好適であり、このような電気泳動表示ディスプレイの採用によって表示体の表示領域をケースの周方向に広くすることができる。
【００２８】
本発明の表示装置では、計時部を備える時計とされ、前記表示部には、前記計時部による計時情報が表示されることが好ましい。
【００２９】
この発明によれば、ケースの内側に腕を通すことで装着でき、ケース外周部の見やすい位置に計時情報が表示され、かつ操作性に優れるので腕時計としての機能性を十分に満たす。すなわち、表示装置の中でも特に時計として構成することにより、前述した効果をより大きくできる。
【発明の効果】
【００３０】
本発明によれば、環状の表示装置において、操作スイッチの操作性を大幅に向上させることができる。
【発明を実施するための最良の形態】
【００３１】
以下、本発明の実施形態について図面を参照して説明する。以下の各実施形態では、表示装置としての時計を示す。なお、第２実施形態以降の説明に関し、第１実施形態と同様の構成については、同一符号を付して、説明を省略もしくは簡略化する。
【００３２】
〔第１実施形態〕
図１は、第１実施形態の時計の外観斜視図であり、図２は、この時計の分解斜視図である。また、図３は、図１のIII−III線断面図である。
時計は、環状（リング状）のケース１と、ケース１内部に収容される表示部２と、ケース１に設けられる環状のベゼル３とを備え、ケース１のリング内側に腕を通すことによって装着されるブレスレットタイプとなっている。
なお、本実施形態の表示部２は、電気泳動表示ディスプレイとされている。
【００３３】
ケース１は、略円筒状のケース本体１０と、ケース本体１０の周方向に沿った下端部に設けられる裏蓋１５と、ケース本体１０の外周部に設けられるカバーガラス１６とを有する環状部材とされている。
ケース本体１０は、図３に示すように、円筒状の胴１１と、胴１１の上端部に突設されたフランジ１２とを有する。
胴１１の下端部において、周方向の数箇所にはそれぞれ、雌ねじ孔１１１が形成されている。
【００３４】
図４は、ケース本体１０の上面図である。この図４と図３に示すように、フランジ１２の上面部には、断面略Ｌ字状に形成された嵌合部１２１が平面視円形状に形成されている。この嵌合部１２１の内周側には、ケース本体１０の周方向に沿って９０°円弧状の溝１２２が刻設されている。
【００３５】
また、溝１２２の一端部の内周側には、ボタンスイッチ１３が設けられている。
フランジ１２には、ボタンスイッチ１３が設けられるスイッチ配設部１２３が形成されている。スイッチ配設部１２３は、ケース本体１０の軸方向に沿って貫通する貫通孔１２３Ａと、この貫通孔１２３Ａに設けられるパイプ１２３Ｂとを有する。
【００３６】
ボタンスイッチ１３は、パイプ１２３Ｂに挿通される軸部１３１を有し、軸部１３１の周りに設けられたコイルばね１３２によってパイプ１２３Ｂの外側に付勢されている。このボタンスイッチ１３は、例えば時刻修正や画面表示モードの切換えなどを行う操作スイッチとされている。また、軸部１３１の周りには、リング状のゴム製パッキン１３３が設けられ、このパッキン１３３は軸部１３１とパイプ１２３Ｂとの間の防水手段となっている。なお、本実施形態ではボタンスイッチ１３の付勢手段としてコイルばね１３２を使用したが、付勢手段としてコイルばね１３２の代わりにリング状のゴム製パッキンを使用することも可能である。
ここで、本実施形態では、ボタンスイッチ１３はフランジ１２の周方向における１箇所のみに設けられているが、フランジ１２の周方向における複数箇所にスイッチを設けることも可能である。
【００３７】
図３に戻り、裏蓋１５は、ケース本体１０とは別体のリング状の部材であり、ケース本体１０の各雌ねじ孔１１１にねじ１２１でそれぞれ固定されている。なお、裏蓋１５とケース本体１０との間や、ねじ１２１と雌ねじ孔１１１との間にはそれぞれ、パッキンＰ１，Ｐ２，Ｐ３が介装されている。
カバーガラス１６は、円筒状に形成され、ケース本体１０のフランジ１２と裏蓋１５との間に挟持されている。なお、カバーガラス１６とフランジ１２および裏蓋１５との間にはパッキンＰ４がそれぞれ介装されている。
【００３８】
図５は、ベゼル３の裏側を示す平面図である。この図５、図１、および図３に示すように、ベゼル３は、ケース本体１０のフランジ１２にケース本体１０と略同軸に設けられる環状部材である。
ベゼル３の外周部裏側には、図３に示すように、ケース本体１０に向かって突出する平面視円形状の嵌合部３１が形成されている。この嵌合部３１がケース本体１０の嵌合部１２１の外周に嵌合することにより、いずれも環状部材とされたベゼル３とケース１とは互いに回転可能に連結される。なお、嵌合部３１と嵌合部１２１との間には、パッキンＰ５（図３）が介装され、ベゼル３とケース１とを回転させる際の適切なトルクが得られている。
また、ベゼル３の裏面側で周方向の一部には、ブロック状の突起（ストッパ）３２が突設されているとともに、裏面側から表面側に窪むスイッチ切換手段としての凹部３３が形成されている。
【００３９】
本実施形態の時計を組み立てる際は、ケース本体１０に表示部２を組み付けたのち、カバーガラス１６をケース本体１０の外周部に設けてフランジ１２に支持させ、裏蓋１５をケース本体１０にねじ止めする。そして、このように組み立てたケース１と、ベゼル３とを組み付けるが、この際、ケース本体１０の溝１２２にベゼル３の突起３２が挿入されるように組み付ける。
【００４０】
図３に戻り、表示部２は、詳しい図示を省略するが、２枚のフレキシブル基板の間に電気泳動層を有し耐湿シートで密封された表示パネル２１と、表示パネル２１を駆動するドライバや計時部が実装された制御回路基板２５とがモジュール化されたものである。
表示パネル２１は帯状に形成されてケース本体１０の外周部に略全周に亘って設けられ、略３６０°の表示領域を有する。この表示パネル２１の表示領域には、時計のモードに応じて時刻、日付、曜日などの各種情報が表示される。
【００４１】
図６は、表示パネル２１における電気泳動層２２を示す模式図である。
電気泳動層２２は、多数のマイクロカプセル２２Ａが密集して配置されることによって形成され、各マイクロカプセル２２Ａには、多数の帯電粒子が分散した電気泳動粒子分散液２２０がそれぞれ封入されている。電気泳動粒子分散液２２０では、黒色の電気泳動粒子（以下、黒粒子という）２２１と、白色の電気泳動粒子（以下、白粒子という）２２２とが分散され、本実施形態では二色の粉体流体方式の電気泳動層が構成されている。これら黒粒子２２１および白粒子２２２は、互いに異なる極性に帯電しており、本実施形態では、黒粒子２２１がプラス（正）に帯電し、白粒子２２２がマイナス（負）に帯電している。
【００４２】
すなわち、表示パネル２１の表示基板に形成されたセグメント電極２０１がローレベル電位（Ｌ電位）であり、表示パネル２１の透明基板に形成された共通電極２０２がハイレベル電位（Ｈ電位）の場合、その電位差によって共通電極２０２からセグメント電極２０１に向かう電界が発生し、正に帯電した黒粒子２２１がセグメント電極２０１側に移動するとともに、負に帯電した白粒子２２２が共通電極２０２側に移動する。
【００４３】
この白色表示の場合とは逆に、セグメント電極２０１をハイレベル電位（Ｈ電位）とし、共通電極２０２をローレベル電位（Ｌ電位）に切り替えた場合、電界の向きが逆転し、表示パネル２１における表示は黒色となる。図１の例では、「ＡＭ１０：００」の各文字およびコロンを構成するセグメントがそれぞれ、黒色で表示されている。
【００４４】
また、黒粒子２２１、白粒子２２２の移動量を電圧の印加時間や印加電圧などに応じて調整することにより、黒と白との間の色階調の中間色表示も可能となっている。
なお、電界印加が停止されると、黒粒子２２１、白粒子２２２の移動も止まり、そのままの表示色が保持される。
【００４５】
制御回路基板２５（図３）には、図示を省略するが、時計全体を制御する制御用コントローラと、表示パネル２１のドライバＩＣと、計時部を構成する水晶発振回路素子と、ボタンスイッチ１３の入力検知回路部などが実装されている。
図７に、ボタンスイッチ１３と入力検知回路部２５０との接続を簡略に示した。すなわち、ボタンスイッチ１３が図７中の矢印左方向に加圧されることにより、制御回路基板２５の側面に設けられた板ばね２５１の先端部が制御回路基板２５側面の接点２５２に導通し、この板ばね２５１を介して入力検知回路部２５０に電流が流れる。これによってボタンスイッチ１３のオン状態が検知され、これに基づいて画面モードの切換えや時刻修正が行われる。一方、ボタンスイッチ１３が加圧されずに板ばね２５１が接点２５２から離れると、ボタンスイッチ１３のオフ状態が検知され、これに基づいて時計が動作する。
なお、この制御回路基板２５には、図示しない電源部が連設されており、この電源部に設けられた電池から制御回路基板２５に電力が供給されている。
【００４６】
図８および図９は、ベゼル３側から示した時計の模式図であり、本実施形態の時計におけるスイッチ操作を説明するための図である。
図８に示す状態では、ケース１のボタンスイッチ１３の位置にベゼル３の凹部３３が対向しており、凹部３３内に軸部１３１の端部が挿入されることにより、ボタンスイッチ１３はフリーの状態にある。すなわち、ボタンスイッチ１３は加圧されておらず、オフの状態となっている。
ここで、この図８の状態にするには、ベゼル３とケース１とを相対回転させ、具体的にはベゼル３をケース１に対して反時計回り（図８中、矢印方向）に回転させる。すると、ベゼル３の突起３２が溝１２２の一端部に係止され、それ以上の回転が規制されるので、図８のように溝１２２の一端部内周側にあるボタンスイッチ１３と、突起３２の内周側にある凹部３３との位置が合い、ボタンスイッチ１３は確実にオフされる。
【００４７】
図９は、図８の状態から、ベゼル３をケース１に対して時計回り（図９中、矢印方向）に回転させた状態を示す。この図９の状態では、溝１２２の両端部の間の中間部に突起３２が位置し、ボタンスイッチ１３は、ベゼル３の裏面部によって加圧され、オンとなっている。
【００４８】
本実施形態によれば、次のような効果を得ることができる。
（１）環状の時計における操作スイッチの構造として、環状部材であるケース１とベゼル３とを相対回転させ、ボタンスイッチ１３とスイッチ切換手段としての凹部３３との相対位置が変わることによって、ボタンスイッチ１３の切換操作を可能に構成した。これにより、装着された際の時計の姿勢に関わらず、また、装着中に時計が腕の周りを回転しても、常に、ケース１とベゼル３とを相対回転させる同じ取扱い方法でボタンスイッチ１３の切換操作を行うことができる。すなわち、ボタンスイッチ１３の位置には関係なくスイッチの切換え操作を行うことができ、ボタンスイッチ１３の位置を確認したり、ボタンスイッチ１３が見える位置まで表示装置を回転させることなどを不要にできる。
これにより、操作性を大幅に向上させることができる。
【００４９】
（２）また、ボタンスイッチ１３はケース１とベゼル３との間に設けられ、外部に露出しないので、ボタンスイッチ１３が誤って押されるなどの誤操作がない点でも、操作性を向上させることができる。
【００５０】
（３）さらに、このようにケース１とベゼル３とを回転させる回転スイッチ構造により、ケース１の外部に露出する操作ボタンを無くすことができるので、外観も向上させることができる。
【００５１】
（４）ケース１とベゼル３とにそれぞれ嵌合部１２１と嵌合部３１とを形成したので、ケース１とベゼル３とを相対回転させるための連結手段を簡易に実現できる。
【００５２】
（５）ボタンスイッチ１３と凹部３３とによって接触式のスイッチおよびスイッチ切換手段を簡易に設けることができる。
【００５３】
（６）また、ベゼル３の突起３２とケース１の溝１２２とによるストッパ機能により、ベゼル３とケース１とが回転された際に、ベゼル３の突起３２がケース１の溝１２２の端部に係止されるので、ボタンスイッチ１３が切り替わる位置にベゼル３とケース１との回転角度が決まる。これにより、ボタンスイッチ１３の切換を確実に行うことができる。
【００５４】
（７）ケース１とベゼル３とが嵌め合いで回転可能に構成されていても、ボタンスイッチ１３にはスイッチ配設部１２３のパイプ１２３Ｂとの間に防水手段（パッキン１３３）が設けられることにより、ケース１内が水密とされているので、表示パネル２１や制御回路基板２５への浸水を防止できる。これにより、表示装置の信頼性を確保できる。
【００５５】
（８）フランジ１２に嵌合部１２１およびスイッチ配設部１２３が設けられるので、ケース１の外周部略全体を表示パネル２１の表示領域として広い表示画面を実現できる。
【００５６】
〔第２実施形態〕
次に、本発明の第２実施形態について図１０〜図１３を参照して説明する。
図１０は、本実施形態の時計のケース本体１０の上面図を示す。本実施形態では、画面表示モード切替、時刻修正、各種設定等を行う２つのボタンスイッチ１３Ａ，１３Ｂがケース１の溝１２２の両端部にそれぞれ設けられている。これらのボタンスイッチ１３Ａ，１３Ｂの構造は、第１実施形態のボタンスイッチ１３（図３）と同様であり、フランジ１２に形成されたスイッチ配設部１２３にそれぞれコイルばね１３２およびパッキン１３３を介在させて軸部１３１が貫通している。
このように２つのボタンスイッチ１３Ａ，１３Ｂが設けられている点を除いて、本実施形態の時計は第１実施形態の時計と同様に構成され、ケース１、ベゼル３、および表示部２を備えている（図１）。
【００５７】
図１１および図１３は、ベゼル３側から示した本実施形態の時計の模式図であり、ボタンスイッチ１３Ａ，１３Ｂの操作を説明するための図である。
図１１は、ベゼル３をケース１に対して反時計回りに回転させ、ベゼル３の突起３２が溝１２２の一端部に係止された状態であり、ボタンスイッチ１３Ａの位置にベゼル３の凹部３３が対向している。このとき、凹部３３内にボタンスイッチ１３Ａの軸部１３１の端部が挿入され、ボタンスイッチ１３Ａはオフとなっている。一方、溝１２２の他端部側に配置されたボタンスイッチ１３Ｂは、ベゼル３の裏面部によって加圧され、オンとなっている。
【００５８】
この図１１の状態から、ベゼル３をケース１に対して時計回りに回転させ、図１２のようにベゼル３の突起３２が溝１２２の中間部に位置するとき、ボタン１３Ａ，１３Ｂはいずれもベゼル３の裏面部によって加圧され、オンとなる。
さらに、図１２の状態からベゼル３をケース１に対して時計回りに回転させ、図１３のようにベゼル３の突起３２が溝１２２の他端部に係止されると、ボタンスイッチ１３Ｂの位置にベゼル３の凹部３３が対向する。このとき、図１１の場合とは逆に、ボタンスイッチ１３Ａはオンとなり、ボタンスイッチ１３Ｂはオフとなる。
つまり、本実施形態では、ベゼル３とケース１とを時計回りまたは反時計回りに相対回転させることで、ボタンスイッチ１３Ａ，１３Ｂのオンオフを交互に切り替えることができる。
【００５９】
本実施形態によれば、第１実施形態の効果に加えて、次の効果を奏する。
（９）２つのボタンスイッチ１３Ａ，１３Ｂ間で凹部３３が兼用され、ベゼル３を回転させた際の凹部３３の移動によってこれらの各ボタンスイッチ１３Ａ，１３Ｂを切換え可能となるので、ボタンスイッチ１３Ａ，１３Ｂそれぞれにスイッチ切換手段を設けることを不要にできる。
【００６０】
〔第３実施形態〕
次に、本発明の第３実施形態について図１４〜図１６を参照して説明する。
図１４は、本実施形態の時計の概観斜視図であり、図１５は、この時計の分解斜視図である。また、図１６は、図１４のXVI−XVI線断面図である。
前記各実施形態の時計は、ケース１とベゼル３とを備えていたが、本実施形態の時計は、２つの環状部材であるリング状のケース１Ａ，１Ｂを備え、ベゼル３を備えていない。ケース１Ａ，１Ｂの外周部にはそれぞれ表示部２Ａ，２Ｂが設けられている。
【００６１】
ケース１Ａ，１Ｂは、前述したケース１と略同様に構成され、ケース１Ａのフランジ１２とケース１Ｂのフランジ１２Ｂ（図１６）とが嵌合することで互いに連結されている。
ここで、図１６の断面図に示すように、一方のケース１Ａのフランジ１２には第１実施形態と同様にボタンスイッチ１３が設けられているが、他方のケース１Ｂのフランジ１２Ｂには、ボタンスイッチ等は設けられておらず、ケース１Ａの嵌合部１２１の外周に嵌合する平面視円形状の嵌合部１２１Ｂが突設されている。嵌合部１２１，１２１Ｂ間には、パッキンＰ５が介装され、ケース１Ａ，１Ｂは適切なトルクをもって相対回転可能とされている。
また、ケース１Ｂのフランジ１２Ｂの周方向の一部には、ブロック状の突起３２Ｂがケース１Ａ側に向かって突設されるとともに、ケース１Ａ側からケース１Ｂ側に窪むスイッチ切換手段としての凹部３３Ｂが形成されている。
【００６２】
すなわち、本実施形態のケース１Ａの上面図は、図４と同様であり、ケース１Ｂの上面図は、図５（ベゼル３）と同様である。よって、ボタンスイッチ１３の操作方法も、図８および図９に示したものと略同様に、ケース１Ａ，１Ｂを相対回転させることにより、ボタンスイッチ１３を入切する。
【００６３】
なお、本実施形態のケース１Ａ，１Ｂに加えて、第３の環状部材であるケースやベゼルを具備する時計も実現できる。この場合、各環状部材を互いに相対回転可能に連結し、ケースとケースとの間や、ケースとベゼルとの間にスイッチおよびスイッチ切換手段等を設ければよい。
【００６４】
本実施形態によれば、第１実施形態の効果に加えて、次の効果を奏する。
（１０）ベゼル３（図１）などを設けなくても、ケース１Ｂをスイッチ切換操作と情報表示を行う部材として兼用でき、ケース１Ａ，１Ｂの表示部２を合わせてより広い画像表示領域を実現できる。また、各表示部２における画像の表示および非表示を順次切り替えたり、各表示部２の表示を組み合わせて１つの画像を表示するなど様々な画像表現が可能となる。
【００６５】
〔本発明の変形例〕
以上の実施形態において、本発明を具体的に説明したが、本発明は、本発明の要旨を逸脱しない範囲で種々の変形、改良が可能である。
【００６６】
前記各実施形態における時計の操作スイッチは、ボタンスイッチと凹部とによる接触式スイッチとなっていたが、これに限らず、本発明における表示装置の操作スイッチとして、光センサ、磁気センサ等による非接触式センサを採用することも可能である。
例えば、第１実施形態において接触式スイッチに替えて光センサ式スイッチを採用する場合、ケース１およびベゼル３の一方に発光素子および受光素子の一方を設け、ケース１およびベゼル３の他方に発光素子および受光素子の他方を設ける。この光センサ式スイッチは、ベゼル３とケース１との相対回転により、発光素子からの光束を受光素子で受光した際と受光しない際とに入切される。
このような非接触式のスイッチでは、ケース１、ベゼル３間におけるスイッチ可動部が無いため、ボタンスイッチ１３にＯリングなどを設ける場合と比べて、スイッチの防水構造を簡易にできる。
【００６７】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６８】
【図１】本発明の第１実施形態であるリング状時計の外観斜視図。
【図２】前記リング状時計の分解斜視図。
【図３】図１のIII−III線断面図。
【図４】ケース本体の上面図。
【図５】ベゼルの裏面図。
【図６】表示パネルの電気泳動層を示す模式図。
【図７】ボタンスイッチと制御回路基板との接続を示す図。
【図８】前記実施形態におけるスイッチ操作を説明するための模式図。
【図９】前記実施形態におけるスイッチ操作を説明するための模式図。
【図１０】本発明の第２実施形態のケース本体の上面図。
【図１１】前記実施形態におけるスイッチ操作を説明するための模式図。
【図１２】前記実施形態におけるスイッチ操作を説明するための模式図。
【図１３】前記実施形態におけるスイッチ操作を説明するための模式図。
【図１４】本発明の第３実施形態であるリング状時計の外観斜視図。
【図１５】前記リング状時計の分解斜視図。
【図１６】図１４のXVI−XVI線断面図。
【符号の説明】
【００６９】
１，１Ａ，１Ｂ・・・ケース、２，２Ａ，２Ｂ・・・表示部、３・・・ベゼル、１０・・・ケース本体、１１・・・胴、１２，１２Ｂ・・・フランジ、１３，１３Ａ，１３Ｂ・・・ボタンスイッチ、１５・・・裏蓋、１６・・・カバーガラス、２１・・・電気泳動表示パネル、３１・・・嵌合部、３２，３２Ｂ・・・突起、３３，３３Ｂ・・・凹部、１２１，１２１Ｂ・・・嵌合部、１２２・・・溝、１２３・・・スイッチ配設部、１３１・・・軸部、１３３・・・パッキン（防水手段）。
【図１】
2008083009.tif 000003
【図２】
2008083009.tif 000004
【図３】
2008083009.tif 000005
【図４】
2008083009.tif 000006
【図５】
2008083009.tif 000007
【図６】
2008083009.tif 000008
【図７】
2008083009.tif 000009
【図８】
2008083009.tif 000010
【図９】
2008083009.tif 000011
【図１０】
2008083009.tif 000012
【図１１】
2008083009.tif 000013
【図１２】
2008083009.tif 000014
【図１３】
2008083009.tif 000015
【図１４】
2008083009.tif 000016
【図１５】
2008083009.tif 000017
【図１６】
2008083009.tif 000018